(57)【特許請求の範囲】
【請求項１】
栽培ベッドに常時または適時間ごとに給水して栽培ベッドで栽培中の植物に潅水して植物を栽培する植物栽培施設において、栽培ベッドから潅水後の余剰水を回収する回収水系に、栽培ベッドから自然流下する回収水を貯留するとともに貯留した回収水を強制送水する中継ポンプを備えた中継タンクと、中継タンクから中継ポンプにより送水される回収水の全量を収容するに足る回収水タンクを設け、上記中継タンクの中継ポンプを、中継タンク内の回収水レベルが所定の範囲を保つように駆動制御する制御機能を備えて成り、回収水タンクは、２つの独立したタンクを上下に積み重ねた構成であって上下のタンクは互いに連通しており、中継タンクからの回収水は上のタンクに供給し、再度潅水に供する回収水は下のタンクから栽培ベッドに送水する構成であり、下のタンクは上のタンクと独立していて、下のタンクにおいて貯留する回収水の水位を一定レベルに保持して液肥等の組成を調整する構成であることを特徴とする植物栽培施設における潅水システム。
【発明の詳細な説明】
【０００１】
【発明の属する技術分野】
本発明は、栽培ベッドに常時または適時間ごとに給水して栽培ベッドで栽培中の植物に潅水して植物を栽培する植物栽培施設において、栽培ベッドに供給する水の循環による効率的な利用を図ることができる植物栽培施設における潅水システムに関する。
【０００２】
【従来の技術】
従来、栽培ベッドによる植物栽培施設においては、栽培ベッドに常時または適時間ごとに潅水することが行われており、栽培ベッドに潅水する水に液肥等を配合して施すことが行われている（特開平８−２８０２７９号公報等参照）。
【０００３】
【発明が解決しようとする課題】
従来の栽培ベッドによる植物栽培施設においては、上記特開平８−２８０２７９号公報にも示されているように、給水源と栽培ベッドとの間で、水を循環させて使用することが行われており、給水源から栽培ベッドに至る給水ラインで液肥等を配合することが行われている。
【０００４】
このように、肥料濃度やその組成比率などを調整した培養水を何度も循環して潅水するには、栽培ベッドから回収した回収水を貯留する回収水タンクを施設に設置する必要があるが、栽培ベッドの高さは、栽培する植物の手入れ等が容易なように、作業者の腰の高さ程度であるところから、栽培ベッドからの回収水を貯留する回収水タンクは、回収水の自然流下を確保するうえで施設の床面の高さ程度かそれより低い位置に設けなければならないという制約があった。
【０００５】
このため、従来の回収水タンクを備えた植物栽培施設においては、回収水タンクの設置のために広い場所を要したり、地下式にするなどのため設備が大掛かりにならざるを得ないなどの問題が指摘されていた。
【０００６】
そこで、本発明は、このような従来の植物栽培施設における課題に対処しようとするものであって、栽培ベッドからの回収水を一旦中継タンクに自然流下させたうえ、中継タンクに備えた中継ポンプで強制送水することにより回収水タンクに回収することにより、回収水タンクを栽培ベッドの高さの制約を受けることなく、殊に栽培施設の上部空間を有効に利用して設置することができる植物栽培施設における潅水システムを提供することを目的とする。
【０００７】
【課題を解決するための手段】
上記目的を達成するため、本発明の請求項１に係る植物栽培施設における潅水システムは、栽培ベッドに常時または適時間ごとに給水して栽培ベッドで栽培中の植物に潅水して植物を栽培する植物栽培施設において、栽培ベッドから潅水後の余剰水を回収する回収水系に、栽培ベッドから自然流下する回収水を貯留するとともに貯留した回収水を強制送水する中継ポンプを備えた中継タンクと、中継タンクから中継ポンプにより送水される回収水の全量を収容するに足る回収水タンクを設け、上記中継タンクの中継ポンプを、中継タンク内の回収水レベルが所定の範囲を保つように駆動制御する制御機能を備えて成るものである。
【０００８】
そして、前記回収水タンクは、２つの独立したタンクを上下に積み重ねた構成であって上下のタンクは互いに連通しており、中継タンクからの回収水は上のタンクに供給し、再度潅水に供する回収水は下のタンクから栽培ベッドに送水する構成であり、下のタンクは上のタンクと独立していて、下のタンクにおいて貯留する回収水の水位を一定レベルに保持して液肥等の組成を調整する構成であることを特徴とするものである。
【０００９】
【発明の実施の形態】
図１は本発明に係る植物栽培施設における潅水システムの構成を示すフローチャート、図２は本発明に係る植物栽培施設における潅水システムの要部構成を示す断面図である。
【００１０】
図１において、１は栽培ベッドである。図示の実施の形態では、栽培ベッド１は第１系統ないし第４系統から成り、その上に例えば花卉鉢物等を多数並べて置き、鉢物の底面から潅水するためのウオーターベンチを構成している。
【００１１】
栽培ベッド１には、供給水系２から共通の給水電磁弁３および系列切替電磁弁４を経て供給水を供給するように成っている。なお、図示を省略してあるが、供給水系２においては、給水源（地下水源、上水道等）からの供給水に液肥等を配合して、植物の３大栄養成分である窒素、リン酸、カリウムを主成分とする各液肥の濃度、水素イオン濃度（ＰＨ）および水の電気伝導度（ＥＣ）を調整する機能を有している。
【００１２】
栽培ベッド１から潅水後の余剰水を回収する回収水系５において、６は中継タンクであり、この中継タンク６には中継ポンプ７を備えている。８はレベルセンサである。９は回収水タンクである。栽培ベッド１からの回収水は、自然流下によって中継タンク６に一旦貯留され、中継ポンプ７による強制送水により、回収水タンク９に供給して貯留するように成っている。
【００１３】
上記中継タンク６の中継ポンプ７は、レベルセンサ８によって検出される中継タンク６内の回収水レベルが所定の範囲を保つように駆動制御されるものであり、回収水タンク９は、中継タンク６から中継ポンプ７により送水される回収水の全量を収容するに足る容量を有しているものである。
【００１４】
すなわち、図２に示すように、回収水タンク９は、２つの独立したタンク９ａ，９ｂを上下に積み重ねた構成であって上下のタンク９ａ，９ｂは互いに連通しており、中継タンク６からの回収水は上のタンク９ａに供給し、再度潅水に供する回収水は下のタンク９ｂから栽培ベッド１に送水する構成である。
【００１５】
栽培ベッド１の供給水系２と回収水系５とは、クイックバルブ１０を介して接続されており、供給水系５の接続と回収水系２への接続は、クイックバルブ１０によって自動的に切替えられる。
【００１６】
上記のように回収水タンク９は、２つの独立したタンク９ａ，９ｂを上下に積み重ねた構成であるから、上のタンク９ａには中継タンク６から強制送水される回収水を供給するが、下のタンク９ｂは上のタンク９ａと独立しているので、下のタンク９ｂにおいて、貯留する回収水の水位を一定レベルに保持して液肥等の組成を的確に調整することができる。
【００１７】
栽培ベッド１からの回収水を一旦中継タンク６に自然流下させたうえ、中継タンク６に備えた中継ポンプ７で強制送水することにより回収水タンク９に回収する構成でるから、回収水タンク９は、栽培ベッド１の高さの制約を受けることなく、栽培施設の上部空間を有効に利用して設置することができる。殊に図２に示すように、回収水タンク９を上下に積み重ねた構成とすることにより、栽培施設の上部空間の有効利用に加えて、前述のとおり、再度栽培ベッド１に給水する回収水の液肥等の組成を、中継タンク６からの回収状況の制約を受けることなく、的確に調整できる。
【００１８】
【発明の効果】
本発明によれば、栽培ベッドからの回収水を一旦中継タンクに自然流下させたうえ、中継タンクに備えた中継ポンプで強制送水することにより回収水タンクに回収することにより、回収水タンクを栽培ベッドの高さの制約を受けることなく、殊に栽培施設の上部空間を有効に利用して設置することができる植物栽培施設における潅水システムを提供することができる。
【図面の簡単な説明】
【図１】本発明に係る植物栽培施設における潅水システムの構成を示すフローチャートである。
【図２】本発明に係る植物栽培施設における潅水システムの要部構成を示す断面図である。
【符号の説明】
１  栽培ベッド
２  供給水系
３  共通の給水電磁弁
４  系列切替電磁弁
５  回収水系
６  中継タンク
７  中継ポンプ
８  レベルセンサ
９  回収水タンク
９ａ  上のタンク
９ｂ  下のタンク
１０  クイックバルブ
【図１】
0003678394.tif 000002
【図２】
0003678394.tif 000003